(57)【要約】【課題】合成樹脂製飲料容器の首部、肩部及び底部を被覆して遮光可能であって、口部に取り付けられる合成樹脂製キャップの開栓容易性を向上させることのできる被覆部材を提供する。【解決手段】合成樹脂製飲料容器１０の一部を被覆し、遮光可能な被覆部材１は、合成樹脂製飲料容器１０の首部１２及び肩部１３を少なくとも被覆する第１被覆部材２と、合成樹脂製飲料容器１０の底部１５を少なくとも被覆する第２被覆部材３とを備え、第１被覆部材２は、合成樹脂製キャップ１６の側壁に当接可能な小径部２１と、小径部２１の一端に連続し、合成樹脂製飲料容器１０の肩部１３との間に遊びを有するようにして当該肩部１３を被覆する大径部２２とを有し、第２被覆部材３は、一端が開口し、合成樹脂製飲料容器１０の底部１５を挿入可能な有底筒状部材により構成されている。【選択図】図１
2018039537.tif 000002
【特許請求の範囲】
【請求項１】
口部、前記口部に連続する首部、前記首部に連続する肩部、前記肩部に連続する胴部及び前記胴部に連続する底部、並びに前記口部に取り付けられてなる合成樹脂製キャップを有する合成樹脂製飲料容器の一部を被覆し、遮光可能な被覆部材であって、
前記合成樹脂製飲料容器の首部及び肩部を少なくとも被覆する第１被覆部材と、
前記合成樹脂製飲料容器の底部を少なくとも被覆する第２被覆部材と
を備え、
前記第１被覆部材は、前記合成樹脂製キャップの側壁に当接可能な小径部と、前記小径部の一端に連続し、前記合成樹脂製飲料容器の肩部との間に遊びを有するようにして当該肩部を被覆する大径部とを有し、
前記第２被覆部材は、一端が開口し、前記合成樹脂製飲料容器の底部を挿入可能な有底筒状部材により構成されていることを特徴とする被覆部材。
【請求項２】
少なくとも前記第１被覆部材は、エラストマー性高分子材料により構成されることを特徴とする請求項１に記載の被覆部材。
【請求項３】
前記第２被覆部材の内底面に、前記合成樹脂製飲料容器の底部を固定する固定部が設けられていることを特徴とする請求項１又は２に記載の被覆部材。
【請求項４】
前記第２被覆部材の外側面に、周方向に間隔をあけるように複数の凸条部が設けられていることを特徴とする請求項１〜３のいずれかに記載の被覆部材。
【請求項５】
前記第１被覆部材及び／又は前記第２被覆部材に、前記合成樹脂製飲料容器内に充填されている飲料の液温を管理するための示温部が設けられていることを特徴とする請求項１〜４のいずれかに記載の被覆部材。
【請求項６】
前記示温部が、可逆性示温呈色剤を含む合成樹脂により構成されることを特徴とする請求項５に記載の被覆部材。
【請求項７】
前記第１被覆部材の前記大径部に開口窓が形成されており、
前記示温部は、前記大径部の内壁面から突出するようにして前記開口窓に嵌合されていることを特徴とする請求項５又は６に記載の被覆部材。
【請求項８】
前記合成樹脂製飲料容器は、穀類分解物含有発泡性飲料又は果汁含有飲料を充填する容器であることを特徴とする請求項１〜７のいずれかに記載の被覆部材。
【発明の詳細な説明】
【技術分野】
【０００１】
本発明は、飲料等の包装容器の一部を被覆する被覆部材に関する。
【背景技術】
【０００２】
飲料用包装容器として、一般にペットボトルと称されるポリエチレンテレフタレート樹脂製容器をはじめ、様々な合成樹脂製容器が広く利用されている。このような合成樹脂製容器には、通常、商品名や内容物等の表示、装飾等を目的として、それらが印刷されたラベルが装着される。例えば、熱収縮性樹脂フィルムからなる筒状ラベル（シュリンクラベル）が上記容器の胴部に密着するようにして装着される。当該合成樹脂製容器に充填される飲料の種類によっては、光によって品質が劣化し易いものもあるため、上記胴部に密着する筒状ラベルに遮光性を付与する技術が知られている（特許文献１参照）。
【０００３】
しかしながら、筒状ラベルに遮光性を付与したとしても、筒状ラベルによって被覆することのできない、合成樹脂製容器の首部、肩部、底部等から光が差し込むことにより、飲料の品質が劣化するおそれがある。そこで、合成樹脂製容器の首部、肩部、底部等を、遮光性を有するカバーにより覆う技術が知られている（特許文献２参照）。
【０００４】
上記合成樹脂製容器は、その口部に螺合される合成樹脂製キャップによって閉栓されているが、結露等によって当該キャップの表面に水滴等が付着している場合等、開栓が困難な場合も生じ得る。また、いわゆる広口の合成樹脂製容器の口部に取り付けられる合成樹脂製キャップにおいても、開栓が困難な場合も生じ得る。このような合成樹脂製キャップの開栓を容易にすべく、従来、可撓性を有する高摩擦材からなるキャップオープナーが知られている（特許文献３参照）。特に飲食店においては、素早く的確に容器の開閉操作を行うことが求められる。
【０００５】
上記合成樹脂製容器に充填されている飲料は、通常、冷蔵庫内に一定時間貯蔵されることで、容器ごと飲み頃の温度（例えば５℃程度）にまで冷却されてから飲用に供される。冷蔵庫内に長期間に亘って貯蔵されている飲料であれば飲み頃の温度に冷却されていると判断することができるが、冷蔵庫内に貯蔵してから短時間では、飲料が飲み頃の温度にまで冷却されているか否かの判断が困難である。特に飲食店にて当該飲料が提供される場合には、冷蔵庫内に貯蔵されている飲料が飲み頃の温度にまで冷却されているか否かを的確に判断可能であることが重要である。そのため、冷蔵庫に貯蔵されている飲料が飲み頃の温度であるか否かを判断可能な新たな技術が求められている。
【先行技術文献】
【特許文献】
【０００６】
【特許文献１】特開２０１１−２５０６９９号公報
【特許文献２】実開昭６０−７５２３２号公報
【特許文献３】特開２００３−２９２０９３号公報
【発明の概要】
【発明が解決しようとする課題】
【０００７】
上述したキャップオープナーは、合成樹脂製キャップにフィットさせることで合成樹脂製キャップの開栓を容易にすることができるが、合成樹脂製容器をテーブル等の平面上に載置した状態で合成樹脂製キャップを開栓するには合成樹脂製容器を固定する必要がある。通常、合成樹脂製容器を把持して固定し、キャップオープナーを用いて合成樹脂製キャップを開栓するが、容量が大きく、胴部の外径の大きい合成樹脂製容器の場合には、合成樹脂製容器を把持して固定することが困難である。そのような合成樹脂製容器においては、合成樹脂製キャップの開栓が困難であるという問題がある。また、飲食店等においては、必要な器材をできるだけ少なくする一方で、多機能を有する等による利便性が求められるところ、合成樹脂製キャップの開栓を容易にするとともに、遮光性を併せ持つ被覆部材は提案されていないという現状がある。さらに、上記容器内の液温を管理（確認）する機能も併せ持つ被覆部材は提案されていないという現状がある。
【０００８】
上記課題に鑑みて、本発明は、合成樹脂製飲料容器の首部、肩部及び底部を被覆して遮光可能であって、口部に取り付けられる合成樹脂製キャップの開栓容易性を向上させることのできる被覆部材を提供することを第一の目的とする。さらに、これらの機能に加えて、上記合成樹脂製飲料容器の液温を確認することもできる被覆部材を提供することを第二の目的とする。
【課題を解決するための手段】
【０００９】
上記課題を解決するために、本発明は、口部、前記口部に連続する首部、前記首部に連続する肩部、前記肩部に連続する胴部及び前記胴部に連続する底部、並びに前記口部に取り付けられてなる合成樹脂製キャップを有する合成樹脂製飲料容器の一部を被覆し、遮光可能な被覆部材であって、前記合成樹脂製飲料容器の首部及び肩部を少なくとも被覆する第１被覆部材と、前記合成樹脂製飲料容器の底部を少なくとも被覆する第２被覆部材とを備え、前記第１被覆部材は、前記合成樹脂製キャップの側壁に当接可能な小径部と、前記小径部の一端に連続し、前記合成樹脂製飲料容器の肩部との間に遊びを有するようにして当該肩部を被覆する大径部とを有し、前記第２被覆部材は、一端が開口し、前記合成樹脂製飲料容器の底部を挿入可能な有底筒状部材により構成されていることを特徴とする被覆部材を提供する（発明１）。
【００１０】
上記発明（発明１）によれば、合成樹脂製飲料容器の首部及び肩部を被覆可能な第１被覆部材と底部を被覆可能な第２被覆部材とを備え、第１被覆部材が合成樹脂製キャップの側壁に当接可能な小径部を有するとともに、第２被覆部材が底部を挿入可能な有底筒状部材により構成されていることで、底部が第２被覆部材に挿入された合成樹脂製飲料容器を平面上に載置した状態であっても、第１被覆部材により合成樹脂製キャップを容易に開栓することができ、かつ遮光性を有する筒状フィルム（シュリンクフィルム）により通常被覆される胴部以外の口部、肩部及び底部から光が差し込むことで、内容物である飲料の品質が劣化するのを防止することができる。
【００１１】
上記発明（発明１）において、少なくとも前記第１被覆部材は、前記合成樹脂製飲料容器、手、テーブル等に対して滑り難い材料、具体的には、シリコーンゴム等のエラストマー性高分子材料により構成されるのが好ましく（発明２）、前記第２被覆部材の内底面に、前記合成樹脂製飲料容器の底部を固定する固定部が設けられているのが好ましく（発明３）、前記第２被覆部材の外側面に、周方向に間隔をあけるように複数の凸条部が設けられているのが好ましい（発明４）。
【００１２】
上記発明（発明１〜４）において、前記第１被覆部材及び／又は前記第２被覆部材に、前記合成樹脂製飲料容器内に充填されている飲料の液温を管理するための示温部が設けられているのが好ましく（発明５）、前記示温部が、可逆性示温呈色剤を含む合成樹脂により構成されるのが好ましく（発明６）、前記第１被覆部材の前記大径部に開口窓が形成されており、前記示温部は、前記大径部の内壁面から突出して前記合成樹脂製飲料容器の外表面に接するようにして前記開口窓に嵌合されているのが好ましい（発明７）。
【００１３】
上記発明（発明１〜７）において、前記合成樹脂製飲料容器は、受光により品質が劣化しやすい傾向にある穀類分解物含有発泡性飲料又は果汁含有飲料を充填する容器であるのが好ましい（発明８）。
【発明の効果】
【００１４】
本発明によれば、合成樹脂製飲料容器の首部、肩部及び底部を被覆して遮光可能であって、口部に取り付けられる合成樹脂製キャップの開栓容易性を向上させることのできる被覆部材を提供することができる。
【図面の簡単な説明】
【００１５】
【図１】図１は、本発明の一実施形態に係る被覆部材の概略構成を示す側面図である。
【図２】図２は、本発明の一実施形態に係る被覆部材の第１被覆部材の概略構成を示す側面図である。
【図３】図３は、図２に示す第１被覆部材において示温部を取り除いた態様を示す側面図である。
【図４】図４は、本発明の一実施形態に係る被覆部材の第１被覆部材の概略構成を示す断面図である。
【図５】図５は、本発明の一実施形態における第１被覆部材の小径部の概略構成を示す断面図である。
【図６】図６は、本発明の一実施形態における示温部の概略構成を示す斜視図である。
【図７】図７は、本発明の一実施形態における示温部とプラスチックボトルとの位置関係を概略的に示す断面図である。
【図８】図８は、本発明の一実施形態に係る被覆部材の第２被覆部材の概略構成を示す上面図である。
【図９】図９は、本発明の一実施形態に係る被覆部材の第２被覆部材の概略構成を示す側面図である。
【図１０】図１０は、本発明の一実施形態に係る被覆部材の第２被覆部材の概略構成を示す、図８におけるＩ−Ｉ線断面図である。
【図１１】図１１は、本発明の一実施形態に係る被覆部材を適用可能なプラスチックボトルの概略構成を示す側面図である。
【図１２】図１２は、図１１に示すプラスチックボトルを底部側から見た平面図である。
【発明を実施するための形態】
【００１６】
本発明の実施の形態について、図面を参照しながら説明する。図１は、本実施形態に係る被覆部材の概略構成を示す側面図であり、図２は、本実施形態に係る被覆部材の第１被覆部材の概略構成を示す側面図であり、図３は、図２に示す第１被覆部材において示温部を取り除いた態様を示す側面図であり、図４は、本実施形態に係る被覆部材の第１被覆部材の概略構成を示す断面図であり、図５は、本実施形態における第１被覆部材の小径部の概略構成を示す断面図であり、図６は、本実施形態における示温部の概略構成を示す斜視図であり、図７は、本実施形態における示温部とプラスチックボトルとの位置関係を概略的に示す断面図であり、図８は、本実施形態に係る被覆部材の第２被覆部材の概略構成を示す上面図であり、図９は、本実施形態に係る被覆部材の第２被覆部材の概略構成を示す側面図であり、図１０は、本実施形態に係る被覆部材の第２被覆部材の概略構成を示す断面図である。
【００１７】
図１〜図１０に示すように、本実施形態に係る被覆部材１は、プラスチックボトル１０（図１１及び図１２参照）の口部１１、首部１２及び肩部１３を被覆する第１被覆部材２と、プラスチックボトル１０の底部１５を被覆する第２被覆部材３とを備える。本実施形態に係る被覆部材１は、例えば、所望とする着色剤を含有するシリコーンゴム等のエラストマー性高分子材料により構成され、金型等を用いた射出成形等により作製され得る。なお、本実施形態に係る被覆部材１は、遮光性能を備えるものであり、例えば、波長５５０ｎｍの光の透過率が５％以下、好ましくは１％以下、さらに好ましくは０．５％以下である。
【００１８】
ここで、本実施形態に係る被覆部材１が適用されるプラスチックボトル１０の構成について説明する。図１１は、本実施形態におけるプラスチックボトル１０の概略構成を示す側面図であり、図１２は、本実施形態におけるプラスチックボトル１０の底部側から見た平面図である。
【００１９】
図１１及び図１２に示すように、本実施形態におけるプラスチックボトル１０は、ポリエチレンテレフタレート（ＰＥＴ）、ポリブチレンテレフタレート、ポリエチレンナフタレート、ポリトリメチレンテレフタレート、ポリトリメチレンナフタレート等のポリエステル系樹脂、ポリエチレン、ポリプロピレン等のオレフィン系樹脂、ポリカーボネート樹脂、ポリアクリレート樹脂、ポリアミド樹脂等の樹脂材料により構成され得る。プラスチックボトル１０は、穀類分解物含有発泡性飲料又は果汁含有飲料を内容物とする包装容器であって、その容量は例えば１００〜５０００ｍＬであり、好ましくは１０００〜５０００ｍＬである。
【００２０】
なお、本実施形態における「穀類分解物含有発泡性飲料」としては、穀類の分解物を含む発泡性飲料であれば特に限定されるものではないが、好ましくは、麦芽、大麦の分解物を含む飲料を例示することができる。本実施形態において、「穀類」とは、穀物であれば特に限定されるものではなく、例えば、大麦、小麦、大豆、エンドウ豆等が挙げられ、好ましくは大麦が挙げられる。穀類の分解物の具体的な態様としては、麦芽、大麦、小麦、大豆、エンドウ豆、トウモロコシの分解物であり、例えば、大豆タンパク、大豆ペプチド、エンドウ豆タンパク、コーンタンパク分解物が挙げられる。
【００２１】
本実施形態における「穀類分解物含有発泡性飲料」の具体例としては、好ましくは麦芽分解物含有発泡性飲料であり、より好ましくはビール系飲料である。ビール系飲料とは、通常、ビールを製造した場合（酵母等による発酵に基づいてビールを製造した場合）に得られるビール特有の味わい、香りを有する飲料を意味し、例えば、ビール、発泡酒、リキュール等の発酵麦芽飲料や、その他の醸造酒、若しくは完全無アルコール麦芽飲料（非アルコール麦芽飲料）等の非発酵麦芽飲料が挙げられる。また、ビール系飲料としては、麦芽飲料のみならず、麦や麦芽を使用しない非麦飲料であってもよい。かかる非麦飲料としては、エンドウ豆、大豆、トウモロコシ等を用いた、ビール風の発泡性アルコール含有飲料、完全無アルコール飲料等が挙げられる。
【００２２】
また、本実施形態における「果汁含有飲料」としては、受光により劣化するおそれのある果汁、野菜の搾汁等を含む飲料であれば特に限定されるものではないが、好ましくは、柑橘系果汁を含む飲料（酒類、清涼飲料等）を例示することができる。当該果汁含有飲料は、発泡性飲料であってもよいし、非発泡性飲料であってもよい。柑橘系果汁等に代表される各種果汁を含有する酒類・清涼飲料として、発泡性飲料、非発泡性飲料ともに広く商品化されており、合成樹脂製容器に充填され得る。
【００２３】
プラスチックボトル１０は、穀類分解物含有発泡性飲料又は果汁含有飲料の注ぎ口、飲み口又は注出口として機能する口部１１と、口部１１に連続する首部１２と、首部１２に連続する肩部１３と、肩部１３の下端に連続する胴部１４と、胴部１４の下端に連続する底部１５とを備える。
【００２４】
口部１１は、略円筒状であり、口部１１の開口端側の外側面には、合成樹脂製キャップ１６を取り付けるためのねじ山が形成されている。これにより、プラスチックボトル１０に穀類分解物含有発泡性飲料又は果汁含有飲料を充填した後に、口部１１に合成樹脂製キャップ１６を取り付けることで、プラスチックボトル１０を密封することができる。
【００２５】
肩部１３は、首部１２との連続部からプラスチックボトル１０の外側に向かって湾曲し、胴部１４に向かって徐々に拡径する湾曲構造により構成されている。
【００２６】
底部１５周縁には、複数（本実施形態においては５個）の脚部１５１が形成されている。これとともに、隣接する２つの脚部１５１，１５１の間には、底部１５の一部をプラスチックボトル１０の内方に陥入させるようにして凹部１５２が形成されており、同数の脚部１５１及び凹部１５２が周方向に沿って交互に配置されている。すなわち、底部１５は、いわゆるペタロイド構造（花弁状形状）により構成されている。このような底部１５の構造により、炭酸ガスによるプラスチックボトル１０内の加圧状態に耐え得る耐圧性が発揮され得る。
【００２７】
複数の脚部１５１は、底部１５の略中央に位置する、プラスチックボトル１０の内方に凹む底面１５３の周囲に、周方向に沿って略等間隔に配置されており、底面１５３よりも下方に突出する接地部１５４を有する。この接地部１５４の存在により、プラスチックボトル１０が自立可能となっている。
【００２８】
合成樹脂製キャップ１６は、ポリエチレン、ポリプロピレン等の樹脂材料により構成され得る。合成樹脂製キャップ１６の直径（外径）は、プラスチックボトル１０の口部１１の大きさに応じて適宜設定され得るものではあるが、例えば、８〜６０ｍｍ程度であり、好ましくは２５〜４０ｍｍ程度である。
【００２９】
図１〜５に示すように、本実施形態に係る被覆部材１を構成する第１被覆部材２は、プラスチックボトル１０の口部１１及び首部１２を被覆する小径部２１と、小径部２１の一端に連続し、プラスチックボトル１０の肩部１３を被覆する大径部２２とを有する。
【００３０】
小径部２１は、大径部２２に連続する筒状の第１小径部２１１と、第１小径部２１１に連続する有底筒状の第２小径部２１２とを有する。第１小径部２１１の内径Ｄ211は、第１被覆部材２をプラスチックボトル１０の口部１１、首部１２及び肩部１３に被覆させたときに、合成樹脂製キャップ１６の側壁との間に僅かに遊びを有する程度に設定され、第２小径部２１２の内径Ｄ212は、合成樹脂製キャップ１６の側壁に当接可能な程度に設定される。すなわち、第１小径部２１１の内径Ｄ211は、第２小径部２１２の内径Ｄ212よりもわずかに大きく設定される。これにより、第１被覆部材２をプラスチックボトル１０の口部１１、首部１２及び肩部１３に被覆させたときに、プラスチックボトル１０の口部１１に取り付けられている合成樹脂製キャップ１６を小径部２１内に嵌合させ易いという効果が奏される。また、第２小径部２１２が合成樹脂製キャップ１６の側壁に当接するため、容易に開栓することができる。
【００３１】
第２小径部２１２の底部の略中央には、貫通孔２１３が形成されている。かかる貫通孔２１３が形成されていることで、第１被覆部材２をプラスチックボトル１０の口部１１及び肩部１３に被覆させたときに、合成樹脂製キャップ１６の天面と第２小径部２１２の底部との間の空気が貫通孔２１３から排出されるため、合成樹脂製キャップ１６を小径部２１内に嵌合させ易いという効果が奏される。
【００３２】
小径部２１（第１小径部２１１）に連続する大径部２２は、プラスチックボトル１０の肩部１３の湾曲構造に沿った形状を有するとともに、肩部１３の外径よりも大きい内径を有しており、肩部１３との間に遊びを有するようにして当該肩部１３を被覆する。大径部２２が、肩部１３との間に遊びを有する程度の内径を有することで、第１被覆部材２をプラスチックボトル１０の口部１１及び肩部１３に被覆させやすいという効果が奏される。
【００３３】
大径部２２の開口端部（小径部２１に対向する端部）側の外側面２２ａには、複数の凸条部２２１が設けられている。複数の凸条部２２１が設けられていることで、合成樹脂製キャップ１６の開栓（又は閉栓）の操作時に、第1被覆部材２全体を手でつかむ操作者による指掛かり性を向上させることができ、合成樹脂製キャップ１６の開栓（又は閉栓）操作をより容易に行うことができる。
【００３４】
大径部２２には、縁部に嵌合凸部２２３を有する開口窓２２２が形成されており、プラスチックボトル１０内の穀類分解物含有発泡性飲料又は果汁含有飲料の液温を示す示温部４が開口窓２２２に嵌合されている。大径部２２に示温部４が設けられていることで、プラスチックボトル１０内の穀類分解物含有発泡性飲料又は果汁含有飲料の液温を管理することができ、穀類分解物含有発泡性飲料の飲み頃を的確に把握することができる。
【００３５】
示温部４は、金属錯塩等を含む可逆性示温呈色剤が混合されてなる合成樹脂により構成される。当該可逆性示温呈色剤が、プラスチックボトル１０内の穀類分解物含有発泡性飲料又は果汁含有飲料の液温に応じて可逆的に変色することで、当該穀類分解物含有発泡性飲料の液温を管理することができる。上記可逆性示温呈色剤としては、例えばマイクロカプセルの態様で合成樹脂に混合され、インク、成形品としてのペン、ラベル、玩具等において広く用いられているものを採用することができる。
【００３６】
本実施形態において、示温部４は、平面視において略正方形状であるが、このような態様に限定されるものではなく、例えば、平面視略円形状等であってもよい。平面視略正方形状の示温部４の大きさは、一辺の長さが３〜１５ｍｍ程度に設定され得る。示温部４は、大径部２２の開口窓２２２の縁部に形成されている嵌合凸部２２３が嵌合可能な嵌合溝４１を有する。
【００３７】
示温部４は、示温部４の裏面４２（大径部２２の内側面側に位置する面）が大径部２２の内側面２２ｂからわずかに突出するようにして大径部２２の開口窓２２２に嵌合されている。大径部２２は、プラスチックボトル１０の肩部１３の外径よりも大きな内径を有するものの、示温部４の裏面４２が大径部２２の内側面２２ｂからわずかに突出することで、可逆性示温インキを含む示温部４を、プラスチックボトル１０の肩部１３に当接させることができる。示温部４がプラスチックボトル１０の肩部１３に確実に当接することで、肩部１３に接する穀類分解物含有発泡性飲料又は果汁含有飲料の液温を管理することができるため、穀類分解物含有発泡性飲料又は果汁含有飲料の飲み頃を的確に把握することができる。
【００３８】
なお、本実施形態において、プラスチックボトル１０内の穀類分解物含有発泡性飲料又は果汁含有飲料の液温が１０℃以上であると、示温部４は白色を呈するが、当該液温が６℃になると、示温部４の全体が薄い青色を呈する。液温が５℃になると、示温部４の周縁部が濃い青色を呈し、中央部が薄い青色を呈し、液温が４℃以下になると、示温部４の全体が濃い青色を呈する。例えば、冷蔵庫内に貯蔵されているプラスチックボトル１０内の穀類分解物含有発泡性飲料又は果汁含有飲料の液温が５℃以下であれば、当該プラスチックボトル１０を冷蔵庫外の室温下に取り出しても、示温部４は青色を呈したままであるが、液温が５℃を超えていると、プラスチックボトル１０を冷蔵庫外の室温下に取り出すと、直ちに示温部４は白色に戻る。したがって、示温部４がプラスチックボトル１０の肩部１３に当接していることで、示温部４が呈する色により、穀類分解物含有発泡性飲料又は果汁含有飲料の液温を精確に管理することができ、飲み頃を的確に把握することができる。なお、示温部４が、液温に対応してどのような色に変化するかは、示温部４に含まれる可逆性示温呈色剤の種類により決定され得る。
【００３９】
図８〜１０に示すように、第２被覆部材３は、一端が開口し、プラスチックボトル１０の底部１５を挿入可能な有底筒状部材により構成されている。第２被覆部材３の内径は、プラスチックボトル１０の胴部１４の外径よりも大きく構成されている。そのため、プラスチックボトル１０の底部１５を第２被覆部材３に容易に挿入することができる。
【００４０】
第２被覆部材３の内底面３１には、プラスチックボトル１０の底部１５に設けられている複数の凹部１５２のそれぞれに遊嵌される凸部３２が設けられている。本実施形態においては、５つの凸部３２が設けられている。プラスチックボトル１０の底部１５を第２被覆部材３内に挿入すると、プラスチックボトル１０の底部１５の各凹部１５２内に各凸部３２が遊嵌されるとともに、隣接する凸部３２の間に脚部１５１が位置することになる。これにより、第１被覆部材２により被覆された合成樹脂製キャップ１６の開栓操作をする際に、第２被覆部材３内に底部１５が挿入されたプラスチックボトル１０が当該第２被覆部材３内に固定され、空回転してしまうのを抑制することができる。すなわち、第２被覆部材３の凸部３２は、プラスチックボトル１０の底部１５を固定する固定部として構成されている。なお、本実施形態において、プラスチックボトル１０の底部１５はペタロイド構造を有しており、第２被覆部材３の固定部は、当該ペタロイド構造に対応するように設けられた凸部３２により構成されるが、プラスチックボトル１０の底部１５の構造に応じ、プラスチックボトル１０の空回転を抑制できる構造であれば、他の構造であっても適宜選択可能である。
【００４１】
第２被覆部材３の側壁３３の外側面には、周方向に略等間隔で複数の凸条部３４が設けられている。第２被覆部材３の側壁３３を把持した状態で、第１被覆部材２により被覆された合成樹脂製キャップ１６の開栓操作をするときに、凸条部３４が設けられていることで、手の中で第２被覆部材３が滑るのを抑制することができる。
【００４２】
上述した本実施形態に係る被覆部材１によれば、プラスチックボトル１０の首部１２及び肩部１３を被覆可能な第１被覆部材２と底部１５を被覆可能な第２被覆部材３とを備えることで、遮光性を有する筒状フィルム（シュリンクフィルム）により通常被覆される胴部１４以外の首部１２、肩部１２及び底部１５から光が差し込むことにより、当該光により穀類分解物含有発泡性飲料又は果汁含有飲料の品質が劣化するのを防止することができる。
【００４３】
また、第１被覆部材２が合成樹脂製キャップ１４の側壁に当接可能な小径部２１を有するとともに、第２被覆部材３がプラスチックボトル１０の底部１５を挿入可能な有底筒状に構成されていることで、第２被覆部材３に挿入されたプラスチックボトル１０をテーブル等の平面上に載置した状態で第１被覆部材２の小径部２１を握って開栓操作を行ったときに、第２被覆部材３内でプラスチックボトル１０が滑って回転してしまうことなく、合成樹脂製キャップ１６を容易に開栓することができる。
【００４４】
さらに、第１被覆部材２の大径部２２に示温部４が設けられていることで、プラスチックボトル１０内に充填されている穀類分解物含有発泡性飲料又は果汁含有飲料の液温を管理することができ、飲み頃を的確に把握することができる。
【００４５】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４６】
上記実施形態において、第１被覆部材２の大径部２２に示温部４が設けられている態様を例に挙げて説明したが、本発明はこのような態様に限定されるものではない。例えば、示温部４は、プラスチックボトル１０における穀類分解物含有発泡性飲料又は果汁含有飲料が接する部分に当接可能である限り、第２被覆部材３の側壁３２や底面に設けられていてもよい。
【００４７】
上記実施形態において、被覆部材１（第１被覆部材２及び第２被覆部材３）がシリコーンゴムにより構成されてなる態様を例に挙げて説明したが、本発明はこのような態様に限定されるものではない。少なくとも第１被覆部材２がシリコーンゴムのような滑り難い材料により構成されていればよく、第２被覆部材３を構成する材料としては、シリコーンゴムに限定されず、エラストマー性高分子材料を広く選択することができる。
【符号の説明】
【００４８】
１…被覆部材
２…第１被覆部材
２１…小径部
２２…大径部
３…第２被覆部材
１０…プラスチックボトル（合成樹脂製容器）
１１…口部
１２…首部
１３…肩部
１４…胴部
１５…底部
１６…合成樹脂製キャップ
【図１】
2018039537.tif 000003
【図２】
2018039537.tif 000004
【図３】
2018039537.tif 000005
【図４】
2018039537.tif 000006
【図５】
2018039537.tif 000007
【図６】
2018039537.tif 000008
【図７】
2018039537.tif 000009
【図８】
2018039537.tif 000010
【図９】
2018039537.tif 000011
【図１０】
2018039537.tif 000012
【図１１】
2018039537.tif 000013
【図１２】
2018039537.tif 000014